(57)【要約】【課題】ＧＰＳと無線ＬＡＮの性能を確保しつつ、動作モードに応じた最適な放熱構造を用いて、無線ＬＡＮ基板やＬＥＤストロボ基板の発熱による撮像装置内部温度の上昇を防ぐ撮像装置を提供すること。【解決手段】ＧＰＳモジュールや無線ＬＡＮモジュールのアンテナ部をカメラ上面かつメイン基板からの距離が遠い位置に配置し、発熱量の多い無線ＬＡＮモジュールおよびＬＥＤストロボユニットから発生する熱を発熱量の少ないＧＰＳモジュールと接触させることで放熱を行う。【選択図】図３
2014235206.tif 000002
【特許請求の範囲】
【請求項１】
位置情報を算出するための情報を受信する位置受信部（１５）と、
無線通信を行うための電波を送受信する送受信部（１６）と、
ＬＥＤを搭載するストロボ基板（１７）と、
を有する撮像装置において、
前記送受信部（１６）は前記位置受信部（１５）より撮像装置内部側に位置し、
前記位置受信部（１５）が前記送受信部（１６）およびストロボ基板（１７）とそれぞれ熱結合されることを可能にする放熱板（２０）を有することを特徴とする撮像装置。
【請求項２】
動作モードに応じて、前記送受信部（１６）およびストロボ基板（１７）のうち、発熱量の多い方が優先的に位置受信部（１５）との熱伝導を行う、切換え機構を有することを特徴とする請求項１に記載の撮像装置。
【請求項３】
前記位置受信部（１５）は、筐体（１）の上面側に配置され、メイン基板（１４）とはレンズ駆動部（５）を間に挟む位置に位置することを特徴とする請求項１又は請求項２に記載の撮像装置。
【請求項４】
前記送受信アンテナ部（１６１）は前記位置受信部（１５）と投影で重ならない位置に配置されることを特徴とする請求項１に記載の撮像装置。
【発明の詳細な説明】
【技術分野】
【０００１】
本発明は、位置情報を取得可能なＧＰＳモジュールと無線ＬＡＮモジュールとＬＥＤストロボモジュールを備えた撮像装置に関する。
【背景技術】
【０００２】
近年、ビデオカメラ、デジタルカメラ、携帯電話端末などの撮像装置において、ＧＰＳ衛星からの信号により得られる位置情報を画像データと共に記録する機能や、電波を用いた無線通信機能を備える撮像装置が増加している。
【０００３】
ＧＰＳ機能や無線通信機能を備えるためには、ＧＰＳモジュールや無線ＬＡＮモジュールを搭載する必要があるが、ＧＰＳ衛星からの信号や、無線通信のための電波を送受信しやすいように、各モジュールのアンテナは撮像装置本体の上面または側面に配置されている事が多い。また、ＧＰＳモジュールや無線ＬＡＮモジュールのアンテナ配置において、撮影者が使用時に手で覆い隠すことの無いような位置が望ましいとされている。
【０００４】
一方で、撮像装置において、従来より小型化は常に求められている。そのため、撮像装置そのものを大きくすることなく、ＧＰＳモジュールや無線ＬＡＮモジュールの各性能を確保する配置構成が課題である。各モジュールを配置する中で、部品自体の小型化も行われている。一般的な小型化の技術として、ストロボユニットの発光部をキセノン管からＬＥＤに変える事が挙げられる。
【０００５】
しかし、ストロボユニットの光源としてＬＥＤから照射されるストロボ光の明るさはキセノン管に比べると弱く、同等の明るさに近付けるためには、ＬＥＤにより多くの電力をかける必要がある。ＬＥＤに多くの電力をかけるとＬＥＤの発熱量が増えるために熱的に不利となる。それゆえ、ＬＥＤはキセノン管に比べてサイズ・配線ともにコンパクトになるが、基板の発熱量が多いため、ＬＥＤストロボ基板上の素子や電気回路に悪影響を与える可能性がある。
【０００６】
この対策として、特許文献１では発光素子とリフレクタの前面開口部を覆うレンズとの間に空間を有し、リフレクタ内側面に複数の放熱フィンを形成した構成が開示されている。
【先行技術文献】
【特許文献】
【０００７】
【特許文献１】特開２０１２−９３５０４号公報
【発明の概要】
【発明が解決しようとする課題】
【０００８】
しかしながら、上述の特許文献１に開示された従来技術では発光素子からＬＥＤストロボ基板への放熱は出来るが、ＬＥＤストロボ基板自体が熱くなる。また、撮像装置においてはメイン配線基板を筆頭に、無線ＬＡＮ基板も起動時の発熱量が多いとされているので、撮像装置の内部温度が上昇し、様々な素子や電気回路に悪影響を与えかねない。
【０００９】
しかし、メイン配線基板と異なり、無線ＬＡＮ基板とＬＥＤストロボ基板は撮影時に常に電力をかけられて発熱しているわけではない。無線通信機能は主に再生モードにて任意の撮影画像を選択しＰＣ等へ送受信する場合が多く、一方で、ＬＥＤストロボは撮影時の暗い場所などで使用されることが多い。それゆえ、動作モードに応じた放熱構造があると放熱効率が良いと考えられる。
【００１０】
そこで本発明の目的は、ＧＰＳと無線ＬＡＮの性能を確保しつつ、動作モードに応じた最適な放熱構造を用いて、無線ＬＡＮ基板やＬＥＤストロボ基板の発熱による撮像装置内部温度の上昇を防ぐ撮像装置を提供することである。
【課題を解決するための手段】
【００１１】
上記目的を達成するために、本発明は、ＧＰＳモジュールや無線ＬＡＮモジュールのアンテナ部をカメラ上面かつメイン基板からの距離が遠い位置に配置し、発熱量の多い無線ＬＡＮモジュールおよびＬＥＤストロボユニットから発生する熱を発熱量の少ないＧＰＳモジュールと接触させることで放熱を行う構造を特徴とする撮像装置。
【発明の効果】
【００１２】
本発明によれば、ＧＰＳと無線ＬＡＮの性能を確保しつつ、動作モードに応じた最適な放熱構造を用いて、無線ＬＡＮ基板やＬＥＤストロボ基板の発熱による撮像装置内部温度の上昇を防ぐ撮像装置を提供することができる。
【図面の簡単な説明】
【００１３】
【図１】（ａ）正面から見た外観斜視図、（ｂ）背面から見た外観斜視図
【図２】前カバーを外した時の内部を示す斜視図
【図３】本発明の実施例１における放熱構造（ａ）本発明の放熱構造に関わる部品のみを示した斜視図（ｂ）本発明の放熱構造に関わる部品のみを示した分解斜視図
【図４】本発明の実施例２における放熱構造 （ａ）カメラ本体１において、切り替え機構を示す簡略図（ｂ−１）撮影時の切り替えレバーおよび本発明における各基板配置を示す模式図（ｂ−２）撮影時の切り替えレバーおよび本発明における各基板配置を示す断面図（ｃ−１）再生時の切り替えレバーおよび本発明における各基板配置を示す模式図（ｃ−２）再生時の切り替えレバーおよび本発明における各基板配置を示す断面図
【発明を実施するための形態】
【００１４】
［実施例１］
以下に、本発明の好ましい実施の形態を、添付の図面に基づいて詳細に説明する。
【００１５】
図１は、本発明の実施形態にかかわる外観図で図１(a)は正面から見た斜視図、図１(b)は背面から見た斜視図である。
【００１６】
図１(a)において、カメラ本体１は前面を前カバー２に、背面を後ろカバー３、上面を上カバー４に覆われている。カメラ本体１の前面中央には複数のレンズによって構成される撮影レンズを保持する鏡筒５がある。鏡筒５は撮影レンズを光軸方向に移動させることにより、ズーム倍率や焦点距離を変更可能にする。  鏡筒５の右上にはＬＥＤ（発光ダイオード）からなるストロボの発光窓６があり、被写体が暗い時に必要に応じて発光させる。
【００１７】
カメラ本体１の上面には、電源ボタン７、レリーズボタン８が設けられている。
【００１８】
電源ボタン６を押すとデジタルカメラは休止状態から抜け出し、鏡筒５は図１(a)に示した収納状態から光軸方向に所定量繰り出し、デジタルカメラが撮影可能な状態に変化する。さらに撮影可能な状態にあるとき、レリーズボタン８を押すと撮影が行われる。
【００１９】
図１(b)に示すように、カメラ本体１の背面には液晶表示器９が設けてある。
【００２０】
液晶表示器９は撮影する被写体像の確認や、撮影された画像の再生表示に用いられる。液晶表示器９の横には、操作ボタン群１０が設けられている。操作ボタン群１０には、十字キーも含まれている。操作ボタン群１０は、撮影条件の変更、液晶表示器の表示形態の変更、再生画面への切換えといった機能を指示する際に利用する。カメラ本体１のストロボの逆側側面には外部接続端子を埃などから守るために外部接続端子を保護する端子カバー１１が設けられている。
【００２１】
外部接続端子には、例えばＵＳＢ、ＨＤＭＩ(登録商標）などの接続用コネクタがある。１２は、電源となる主電池（使い切り式一次電池のほかに充電式電池も含む、不図示）および信号処理された被写体像が記録される記録媒体（不図示）を収納する収納室を開閉可能とする蓋部材である。この蓋部材１２を開くことにより、収納室開口部が開き状態となって電池及び記録媒体の各々の挿脱が可能になる。
【００２２】
１３は、電池に替えて外部電力を供給するためのアダプターを収容した場合にアダプターから伸びるコードをカメラ本体１の外側へ引き出すために開く扉部材である。
【００２３】
次に、図２、３を参照して、本発明の第1の実施例における放熱構造について説明する。図２は前カバー２と上カバー４を外した時の内部を示す斜視図である。
【００２４】
図３（ａ）は本発明の放熱構造に関わる部品のみを示した斜視図であり、（ｂ）はその分解斜視図である。説明上分かりやすくするために、図３ではフレキシブルプリント基板は不図示とする。図２、３において、１４はメイン配線基板である。
【００２５】
１５はＧＰＳモジュールで、ＧＰＳ衛星からの信号により得られる位置情報を画像データと共に記録する。ＧＰＳモジュール１５はアンテナ部１５１、ＧＰＳ基板１５２、ＧＰＳシールドプレート１５３から構成される。ＧＰＳモジュール１５はアンテナ部１５１の感度を良好にするためにも、デジタルカメラ上面部に配置することが望ましい。また、メイン配線基板１４から発せられるノイズがＧＰＳ基板１５２に実装された素子（不図示）に悪影響を及ぼさないよう、出来る限りメイン配線基板１４から離れた所に配置する方が良いため、鏡筒を挟んでメイン配線基板１４とは反対の位置に配置する。また、本実施例では、ＧＰＳ基板１５２に実装された素子をさらに保護するためにＧＰＳシールドプレート１５３を用いる。
【００２６】
ＧＰＳ基板１５２はＧＰＳシールドプレート１５３とともに、ビス１５ａ、１５ｂでメインシャーシ１８に固定される。ＧＰＳ基板１５２で発生する熱はＧＰＳシールドプレート１５３とメインシャーシ１８を伝わり、放熱する。
【００２７】
１６は無線ＬＡＮモジュールで、電波を用いて無線通信を行う。通信電波を送受信しやすいように送受信アンテナ部１６１は無線ＬＡＮ基板１６２の上面側に配置され、送受信アンテナ部１６１以外の全ての素子は無線ＬＡＮ基板１６２の下面側、（即ちカメラ内部側）に実装されている。さらに、無線ＬＡＮ基板１６２の上面側には熱伝導シート１６３を貼り付けている。
【００２８】
無線ＬＡＮモジュール１６はＧＰＳモジュール１５の略下面側に配置する。但し、送受信アンテナ部１６１において通信の妨げにならないよう、アンテナ上面付近に他のモジュールや板金を配置しない事が望ましい。そのため、無線ＬＡＮモジュール１６の送受信アンテナ部１６１の直上にはＧＰＳモジュールを配置しない構成にする。
【００２９】
無線ＬＡＮ基板１６２はビス１６ａ、１６ｂにより、メインシャーシ１８に固定される。無線ＬＡＮモジュール１６を取り付けた後、ＧＰＳモジュール１５を取り付ける。この時、熱伝導シート１６３はＧＰＳシールドプレート１５３と接触するための弾性部材であることが望ましい。無線ＬＡＮ基板１６２で発する熱は、ビス１６ａ、１６ｂを介してメインシャーシ１８に伝わる方向と、熱伝導シート１６３を介してＧＰＳシールドプレート１５３に伝わる方向に分散され、放熱に有利である。
【００３０】
１７はＬＥＤストロボユニットで、大きく分けてＬＥＤ（発光ダイオード）１７１とＬＥＤ基板１７２からなる。ＧＰＳシールドプレート１５３に設けられた２ヶ所の引っ掛け部１５３ａにＬＥＤ基板１７２を引っ掛け、ビス１５ｃで固定する。これにより、ＬＥＤ基板１７２の裏面がＧＰＳシールドプレート１５３と当接して、ＬＥＤ基板１７２で発する熱が、ＧＰＳシールドプレート１５３に伝わり、放熱される。
【００３１】
このように、ＧＰＳモジュールや無線ＬＡＮモジュールのアンテナ部をカメラ上面かつメイン配線基板からの距離が遠い位置に配置し、発熱量の多い無線ＬＡＮモジュールおよびＬＥＤストロボユニットから発生する熱を発熱量の少ないＧＰＳモジュールと接触させることで放熱を行って、カメラ内部温度の上昇を防ぐことができる。
【００３２】
［実施例２］
上記第１実施形態の変形である。無線通信機能は主に再生モードにて任意の撮影画像を選択しＰＣ等へ送受信する場合が多く、一方で、ＬＥＤストロボは撮影時の暗い場所などで使用されることが多い。即ち、無線ＬＡＮ基板１６２は再生時に、ＬＥＤ基板１７２は撮影時にのみＧＰＳシールドプレート１５３への熱伝導が行われればよい。
【００３３】
図４を参照して、本発明の第２の実施例においける放熱構造について説明する。図４において、
（ａ）カメラ本体１において、切り替え機構を示す簡略図である。
（ｂ−１）撮影時の切り替えレバーおよび本発明における各基板配置を示す模式図である。
（ｂ−２）撮影時の切り替えレバーおよび本発明における各基板配置を示す断面図である。
（ｃ−１）再生時の切り替えレバーおよび本発明における各基板配置を示す模式図である。
（ｃ−２）再生時の切り替えレバーおよび本発明における各基板配置を示す断面図である。
【００３４】
無線ＬＡＮ基板１６２はＧＰＳモジュール１５とは高さ方向で被らない配置となっている。カメラ本体上面に撮影モードまたは再生モードに切り替える事が可能な切り替えレバー１９が配置されており、不図示のスイッチで撮影モードと再生モードに切り替えることができる切り替えレバー１９には保持部１９ａがあり、保持部１９aは放熱板２０の嵌合部２０ａと嵌合している。従って、放熱板２０は切り替えレバー１９と一体となってスライド移動が可能である。
【００３５】
図４（ｂ−１）（ｂ−２）は撮影モード時を示す。撮影モード時では、放熱板２０はＧＰＳシールドプレート１５３とＬＥＤ基板１７２を固定するＬＥＤ板金１７３の間を摺動し、ＧＰＳシールドプレート１５３とＬＥＤ板金１７３のそれぞれに接する。このため、ＬＥＤ基板１７２で発生する熱は、放熱板２０を介してＧＰＳシールドプレート１５３へと伝熱される。
【００３６】
図４（ｃ−１）（ｃ−２）は再生モード時を示す。再生モード時では、放熱板２０は無線ＬＡＮ基板１６上に貼り付けている熱伝導シート１６３と接する。また、同時にＧＰＳシールドプレート１５３とも接しているので、無線ＬＡＮ基板１６２で発生する熱は、熱伝導シート１６３・放熱板２０を介してＧＰＳシールドプレート１５３へと伝熱される。
【００３７】
このように、動作モードに応じて伝熱経路を切り替えることにより、確実に発熱量の少ないＧＰＳモジュール側に熱を移動させることができ、カメラ内部温度が著しく上昇することを防ぐ事が可能である。
【符号の説明】
【００３８】
１５    ＧＰＳモジュール
１５３  ＧＰＳシールドプレート
１６    無線ＬＡＮモジュール
１６１  アンテナ部
１６２  無線ＬＡＮ基板
１７    ＬＥＤストロボユニット
１８    メインシャーシ
１９    切り替えレバー
２０    放熱板
【図１】
2014235206.tif 000003
【図２】
2014235206.tif 000004
【図３】
2014235206.tif 000005
【図４】
2014235206.tif 000006